(57)【要約】      （修正有）【課題】アウター用パンツの内側に取り付けたインナーの形状及び取り付け位置を工夫することで腹部を効果的に締め付けつつ、アウター用パンツの引きつりをなくすことができるインナー付きパンツを提供する。【解決手段】アウター用パンツ２の内部に収縮性を有する生地で形成されるインナー３を備えるインナー付きパンツであって、インナー３が、着用者の下腹部を覆うようにアウター用パンツ２の股上前面の内側に縫着される前身頃４と、アウター用パンツ２のウエストベルトに沿った帯状であり、アウター用パンツ２の背面の内側に縫着される後身頃５と、を有し、前身頃４と後身頃５の端部とがわき線部で縫成されていることを特徴とする。【選択図】図２
0003157225.tif 000002
【実用新案登録請求の範囲】
【請求項１】
アウター用パンツの内部に収縮性を有する生地で形成されるインナーを備えるインナー付きパンツであって、
前記インナーが、着用者の下腹部を覆うように前記アウター用パンツの股上前面の内側に、ウエストベルト、及び股部の位置で縫着される前身頃と、
前記アウター用パンツのウエストベルトに沿った帯状であり、前記アウター用パンツの背面の内側に前記アウター用パンツのウエストベルトの位置で縫着される後身頃と、を有し、
前記前身頃と前記後身頃の端部とがわき線部で縫成されていることを特徴とするインナー付きパンツ。
【請求項２】
請求項１に記載のインナー付きパンツにおいて、
前記インナーが周方向に最大に伸張した場合の長さが、前記インナーと重なる位置に対応する前記アウター用パンツの許容される最大の周長未満であることを特徴とするインナー付きパンツ。
【請求項３】
請求項１又は２に記載のインナー付きパンツにおいて、
前記インナーの前身頃が縦方向に最大に伸張した長さが、前記アウター用パンツの前中心点を通るウエストベルトから股部までの許容される最大の長さ未満であることを特徴とするインナー付きパンツ。
【請求項４】
請求項１ないし３のいずれかに記載のインナー付きパンツにおいて、
前記インナーの周方向の伸張率が縦方向の伸張率と比較して小さいことを特徴とするインナー付きパンツ。
【請求項５】
請求項１ないし４のいずれかに記載のインナー付きパンツにおいて、
前記前身頃が、少なくとも右側部、左側部、及び前中心を含む略菱形状の中央部に分割されており、当該中央部と隣接する左右の部位との縫合箇所が、前記前中心点から略等しい距離であることを特徴とするインナー付きパンツ。
【考案の詳細な説明】
【技術分野】
【０００１】
本考案は、アウター用パンツの内部に矯正用のインナーを有するインナー付きパンツに関する。
【背景技術】
【０００２】
下半身の体型を矯正する際に、矯正用のインナーが利用されている。一般的には、アウター用パンツの下に矯正用インナーを着用して体型の矯正を行うが、個別に着用するのは手間と時間が掛かり、且つ矯正用のインナーは締め付けが強く着用感が良くないという問題があることから、アウター用パンツと矯正用インナーを一体化して着用の手間と時間を削減すると共に、着用感を良くした技術が開示されている。
【０００３】
特許文献１に示す技術は、開き部を有しないパンツの内側に、後身頃のヒップ部から脇線を通り前身頃の一部を被う裏地と内股から前ウエストにかけて帯状の腹部押さえ布をウエストベルトと股下に縫着して表地と一体化させたものである。
【先行技術文献】
【特許文献】
【０００４】
【特許文献１】特開２００８−１０６３７３号公報
【考案の開示】
【考案が解決しようとする課題】
【０００５】
しかしながら、特許文献１に示す技術は、パンツ全周に裏地を付設しないことで締め付け感を弱くして着用感を快適にしているが、内股部を中心として前面と背面が締め付けられているため、やはり締め付け感が残ってしまうという課題を有する。また、裏地や腹部押さえ布をウエストラインと内股部で身頃表地に接合しているため、パンツが上下方向に引きつられてしまい、臀部の食い込みや皺が目立ってしまうという課題を有する。
【０００６】
また、一般的に市場で販売されている矯正用のインナーとアウター用のパンツが一体となったものは、引きつりが発生するものが多く、引きつりが発生しない場合であっても腹部の引き締め効果が小さいものが多い。
【０００７】
そこで、本考案は下半身の体型を矯正するインナーとアウター用パンツを一体化して着脱を簡潔に行うことができると共に、インナーの形状及び取り付け位置を工夫することで腹部を効果的に締め付けつつ、アウター用パンツの引きつりをなくすことができるインナー付きパンツを提供することを目的とする。
【課題を解決するための手段】
【０００８】
（１）本願に開示するインナー付きパンツは、アウター用パンツの内部に収縮性を有する生地で形成されるインナーを備えるインナー付きパンツであって、前記インナーが、着用者の下腹部を覆うように前記アウター用パンツの股上前面の内側に、ウエストベルト、及び股部の位置で縫着される前身頃と、前記アウター用パンツのウエストベルトに沿った帯状であり、前記アウター用パンツの背面の内側に前記アウター用パンツのウエストベルトの位置で縫着される後身頃と、を有し、前記前身頃と前記後身頃の端部とがわき線部で縫成されていることを特徴とするものである。
【０００９】
このように、本願に開示するインナー付きパンツにおいては、アウター用パンツの内部に備える収縮性を有する生地で形成されたインナーが、着用者の下腹部を覆うように前記アウター用パンツの股上前面の内側に、ウエストベルト、及び股部の位置で縫着される前身頃を有することで、着用者の下腹部を押さえて引き締めることができると共に、後身頃がウエストベルトに沿って帯状に縫着されることで、必要以上に締め付け感を感じることなく効果的に体型を矯正することができるという効果を奏する。
【００１０】
また、股部で縫着されるのは前身頃のみであり、後身頃はウエストベルトに沿って帯状に縫着されているため、アウター用パンツの背面が上下方向に引きつられるようなことがなく、臀部の食い込みを防止することができるという効果を奏する。
【００１１】
（２）本願に開示するインナー付きパンツは、前記インナーが周方向に最大に伸張した場合の長さが、前記インナーと重なる位置に対応する前記アウター用パンツの許容される最大の周長未満であることを特徴とするものである。
このように、本願に開示するインナー付きパンツにおいては、インナーが周方向に最大に伸張した場合の長さが、インナーと重なる位置に対応するアウター用パンツの許容される最大の周長未満であるため、インナーの収縮を利用して、下腹部をウエストラインの内側方向に押さえて引き締めることができるという効果を奏する。
【００１２】
（３）本願に開示するインナー付きパンツは、前記インナーの前身頃が縦方向に最大に伸張した長さが、前記アウター用パンツの前中心を通るウエストベルトから股部までの許容される最大の長さ未満であることを特徴とするものである。
このように、本願に開示するインナー付きパンツにおいては、インナーの前身頃が縦方向に最大に伸張した長さが、アウター用パンツの前中心を通るウエストベルトから股部までの許容される最大の長さ未満であるため、インナーの収縮を利用して、下腹部を押さえて引き締めることができるという効果を奏する。
【００１３】
（４）本願に開示するインナー付きパンツは、前記インナーの周方向の伸張率が縦方向の伸張率と比較して小さいことを特徴とするものである。
このように、本願に開示するインナー付きパンツにおいては、インナーの周方向の伸張率が縦方向の伸張率と比較して小さいため、インナーの周方向でお腹を効果的に締め付けつつ、縦方向の伸張率を大きくして締め付け感を軽減して着用感を向上させることができるという効果を奏する。
また、横方向の締め付けを強くすることで、骨盤をしっかりとサポートし、インナーがずり上がるのを確実に防止することができるという効果を奏する。
【００１４】
（５）本願に開示するインナー付きパンツは、前記前身頃が、少なくとも右側部、左側部、及び前中心を含む略菱形状の中央部に分割されており、当該中央部と隣接する左右の部位との縫合箇所が、前記前中心から略等しい距離であることを特徴とするものである。
このように、本願に開示するインナー付きパンツにおいては、前身頃が、少なくとも右側部、左側部、及び前中心を含む略菱形状の中央部に分割されており、中央部と隣接する左右の部位との縫合箇所が、前中心から略等しい距離であるため、中央部を均等な力で効率よく押さえて効果的に引き締めを行うことができるという効果を奏する。
【図面の簡単な説明】
【００１５】
【図１】第１の実施形態に係るインナー付きパンツの正面図及び背面図である。
【図２】第１の実施形態に係るインナー付きパンツを裏返した場合の股上正面図及び股上背面図である。
【図３】第１の実施形態に係るインナー付きパンツにおけるインナーの全体斜視図である。
【図４】第１の実施形態に係るインナー付きパンツにおけるインナーの股部の拡大図である。
【考案を実施するための形態】
【００１６】
以下、本考案の実施の形態を説明する。本考案は多くの異なる形態で実施可能である。従って、本実施形態の記載内容のみで本考案を解釈すべきではない。また、本実施形態の全体を通して同じ要素には同じ符号を付けている。
【００１７】
（本考案の第１の実施形態）
本実施形態に係るインナー付きパンツについて、図１ないし図４を用いて説明する。図１は、本実施形態に係るインナー付きパンツの正面図及び背面図、図２は、本実施形態に係るインナー付きパンツを裏返した場合の股上正面図及び股上背面図、図３は、本実施形態に係るインナー付きパンツにおけるインナーの全体斜視図、図４は、本実施形態に係るインナー付きパンツにおけるインナーの股部の拡大図である。
【００１８】
図１において、図１（Ａ）は、インナー付きパンツの正面図であり、図１（Ｂ）は、インナー付きパンツの背面図である。図１（Ａ）に示すように、本実施形態に係るインナー付きパンツ１におけるアウター用パンツ２には前開き部を備えていない。また、内部のインナーはウエストベルト６の下端部に縫着されているため、正面、及び背面から視認することはできない。内部のインナーについて、図２ないし図４を用いて説明する。
【００１９】
図２において、図２（Ａ）は、インナー付きパンツ１を裏返した場合の股上正面図であり、図２（Ｂ）は、インナー付きパンツ１を裏返した場合の股上背面図である。図２に示すように、アウター用パンツ２の股上内側部にはインナー３が縫着されている。インナー３は、収縮性を有する生地で形成されたパワーネットであり、アウター用パンツ２の内側で着用者の下腹部、ウエスト部等を押さえて締め付けることで、下半身の体型を矯正する機能を有する。また、インナー３により下腹部が締め付けられることで、アウター用パンツ２をゆとりを持って着用することができ、着用者の贅肉によりアウター用パンツ２が突っ張って美観を損ねることを防止することができる。
【００２０】
図２（Ａ）において、インナー３の前身頃４は、パンツ部の前面の形状（略逆三角形）を有し、着用者の下腹部を覆うようにアウター用パンツ２の股上前面の内側に縫着されており、縫着箇所は、アウター用パンツ２のウエストベルト６の下端部の位置、及び股部７の位置（図２（Ａ）中の波線で示す箇所）である。
【００２１】
また、前身頃４は右側部１０、左側部１１、及び前中心点８を含む略菱形状の中央部９の３つのパーツに分割されており、それぞれのパーツが縫着箇所１２で縫成されている。縫着箇所１２を、前中心点８を中心に略同じ距離（前中心点８を中心とした円弧、又は図２（Ａ）に示すようなハの字形）にすることで、中央部９をインナー３の内側方向に効率よく引っ張ることができる。
【００２２】
図２（Ｂ）において、インナー３の後身頃５は、アウター用パンツ２のウエストベルト６に沿って帯状の形状を有し、アウター用パンツ２との縫着箇所は、ウエストベルト６の下端部の位置、及び後身頃５の後中心線１３の位置（図２（Ｂ）中の波線で示す箇所）である。また、後身頃５は後中心線１３を中心に、右後側部１５、及び左後側部１６の２つのパーツに分割されている。後中心線１３で各パーツが縫成されると共に、アウター用パンツ２に縫着されて固定されている。前身頃４と後身頃５とは、脇線部１４で縫成されてインナー３を形成している。
【００２３】
図３において、インナー３は５つのパーツ（中央部９、右側部１０、左側部１１、右後側部１５、及び左後側部１６）に分割されており、各パーツを縫着することでインナー３を形成している。インナー３の横方向（図３中の矢印ａの方向であり、方向ａとする）の伸張率は、縦方向（図３中の矢印ｂの方向であり、方向ｂとする）の伸張率と比較して小さくなっている。つまり、方向ａの締め付け力の方が方向ｂの締め付け力より強くなっている。これは、インナー３の周方向でお腹を内側方向に効果的に締め付けつつ、縦方向の伸張率を大きくして締め付け感を軽減して着用感を向上させるためである。また、横方向の力で骨盤をしっかりとサポートし、インナー３のずり上がりを確実に防止こともできる。
【００２４】
インナー３による締め付けの効果を向上させるために、インナー３が方向ａに最大に伸張した場合の長さが、インナー３と重なる部分に相当するアウター用パンツ２の許容される最大の方向ａの周長未満とする。つまり、インナー３の任意の位置における方向ａの周長をｘ、伸張率をαとすると、インナー３が方向ａに最大に伸張した場合の周長はｘ＋αｘとなる。インナー３の周長がｘとなる任意の位置に相当し、アウター用パンツ２の許容される最大の方向ａの周長をｙとすると、ｙ＜ｘ＋αｘ（式１とする）が成り立つように、インナー３のサイズ、及び伸張率が調整される。
【００２５】
また、インナー３の前身頃４が前中心点８を通って方向ｂに最大に伸張した長さが、アウター用パンツ２の前中心点を通るウエストベルト６の下端部から股部７までの許容される最大の長さ未満とする。つまり、インナー３の前中心線の長さをＸ、伸張率をβとすると、インナー３が方向ｂに最大に伸張した長さはＸ＋βＸとなる。インナー３の前中心線に相当し、アウター用パンツ２の前中心点を通るウエストベルト６の下端部から股部７までの許容される最大の長さをＹとすると、Ｙ＜Ｘ＋βＸ（式２とする）が成り立つように、インナー３のサイズ、及び伸張率が調整される。
【００２６】
したがって、アウター用パンツ２による締め付けよりも強い締め付けをインナー３により行うことで、アウター用パンツ２の内部で下半身を効果的に矯正することができる。また、α＜βとすることで、下腹部の締め付けを効果的に行いつつ、締め付け感を軽減して着用感を向上させることができる。
【００２７】
なお、インナー３の伸張率によっては（例えば、伸張率が小さい、すなわち収縮力が大きい場合）、インナー３が最大に伸張した場合の周長や縦方向の長さが、上記のような式１、及び式２を満たさなくても締め付けの効果を得ることは可能である。
【００２８】
インナー３においては、股部７から中央部９（右側）、右側部１０、わき線部１４（右側）、右後側部１５、左後側部１６、わき線部１４（左側）、左側部１１、及び中央部９（左側）経由し、各部の端部に沿って、再び股部７に縫線２０が通っている。このように、縫線２０で各部を一周して縫成することで、後方の収縮力を前方にまで及ぼすことができ、各部が一体となって効果的にお腹を引き締めることができる。
また、各部を縫着する縦方向の縫線２１についても、図３に示す位置にて縫着することにより、各部が一体化して効果的にお腹を引き締めることができる。
【００２９】
インナー３とアウター用パンツ２とは、後中心線１３、ウエストベルト６の下端部、及び股部７で縫着されているが、ウエストベルト６の下端部においては、ウエストベルト６の全周で縫着される必要はなく、一部が縫着されていない状態であってもよい。また、股部７における縫着は、図４に示すように、アウター用パンツ２のシック１７を介して、前身頃４の先端部がアウター用パンツ２の股部７に縫着される。
【００３０】
このように、本実施形態に係るインナー付きパンツによれば、上記に示したような前身頃を有することで、着用者の下腹部を押さえて引き締めることができると共に、後身頃により必要以上に締め付け感を感じることなく効果的に体型を矯正することができる。
【００３１】
また、股部で縫着されるのは前身頃のみであり、後身頃はウエストベルトに沿って帯状に縫着されているため、アウター用パンツの背面が上下方向に引きつられるようなことがなく、臀部の食い込みを防止することができる。
【００３２】
さらに、インナーが周方向に最大に伸張した場合の長さが、インナーと重なる位置に対応するアウター用パンツの許容される最大の周長未満であるため、インナーの収縮を利用して、下腹部をウエストラインの内側方向に押さえて引き締めることができる。
【００３３】
さらにまた、インナーの前身頃が縦方向に最大に伸張した長さが、アウター用パンツの前中心を通るウエストベルトから股部までの許容される最大の長さ未満であるため、インナーの収縮を利用して、下腹部を押さえて引き締めることができる。
【００３４】
さらにまた、インナーの周方向の伸張率が縦方向の伸張率と比較して小さいため、インナーの周方向でお腹を効果的に締め付けつつ、縦方向の伸張率を大きくして締め付け感を軽減して着用感を向上させることができる。
【００３５】
さらにまた、前身頃が、少なくとも右側部、左側部、及び前中心を含む略菱形状の中央部に分割されており、中央部と隣接する左右の部位との縫合箇所が、前中心から略等しい距離であるため、中央部を均等な力で効率よく押さえて効果的に引き締めを行うことができる。
【符号の説明】
【００３６】
１  インナー付きパンツ
２  アウター用パンツ
３  インナー
４  前身頃
５  後身頃
６  ウエストベルト
７  股部
８  前中心点
９  中央部
１０  右側部
１１  左側部
１２  縫着箇所
１３  後中央線
１４  脇線部
１５  右後側部
１６  左後側部
１７  シック
【図１】
0003157225.tif 000003
【図２】
0003157225.tif 000004
【図３】
0003157225.tif 000005
【図４】
0003157225.tif 000006